(57)【要約】【構成】電子機器に搭載された通信カメラにおいて、前記電子機器にスライド板部材をスライド可能に設置し、このスライド板部材をスライドさせることにより前記通信カメラの撮影用レンズを覆ったりこの覆いを解除したりすることができるようにした電子機器に搭載された通信カメラ用覗き見防止装置である。【効果】スライド板部材を操作することによって通信カメラの撮影用レンズをカバーしたり、そのカバーを外したりすることができる。パソコンにカバーを掛けることなく簡単な操作で覗き見や盗撮を防止することができるとともに、再使用する場合にもスライド板部材をスライドすればよいため、パソコンを能率よく使用しやすい。【選択図】    図２
0003170619.tif 000002
【実用新案登録請求の範囲】
【請求項１】
電子機器に搭載された通信カメラにおいて、前記電子機器にスライド板部材をスライド可能に設置し、このスライド板部材をスライドさせることにより前記通信カメラの撮影用レンズを覆ったりこの覆いを解除したりすることができることを特徴とする電子機器に搭載された通信カメラ用覗き見防止装置。
【請求項２】
前記スライド板部材を、前記電子機器における前記撮影用レンズの前方に取り付けたことを特徴とする請求項１の電子機器に搭載された通信カメラ用覗き見防止装置。
【請求項３】
前記スライド板部材を、前記電子機器製造時に内蔵させたことを特徴とする請求項１の電子機器に搭載された通信カメラ用覗き見防止装置。
【考案の詳細な説明】
【技術分野】
【０００１】
このような覗き見防止装置に関し、パソコンに搭載されたウェブカメラや携帯電話に搭載された携帯カメラによる覗き見や盗撮を防止するために使用されるものである。
【背景技術】
【０００２】
近年、他人のパソコンにウイルスを侵入させ、そのウェブカメラを乗っ取って他人の私生活を覗き見したり、盗撮したりする事件が発生している。
【０００３】
このため、従来にあっては、不使用時には、パソコンにカバーを掛け、ウェブカメラの撮影用レンズを覆い、このような覗き見や盗撮を防いでいた。
【考案の開示】
【考案が解決しようとする課題】
【０００４】
しかしながら、かかる従来における防止方法にあっては、ウェブカメラの撮影用レンズを覆うようにパソコンにカバーを掛けなければならないため、覗き見や盗撮を防止するにあたって手間がかかるとともに、再使用する場合にはこのカバーを外さなければならず、パソコンを能率よく使用しにくいという不都合を有した。
【０００５】
これらの不都合を解消することがこの考案の課題である。
【課題を解決するための手段】
【０００６】
前記課題を達成するために、この考案に係る電子機器に搭載された通信カメラ用覗き見防止装置においては、電子機器に搭載された通信カメラにおいて、前記電子機器にスライド板部材をスライド可能に設置し、このスライド板部材をスライドさせることにより前記通信カメラの撮影用レンズを覆ったりこの覆いを解除したりすることができるようにしたものである。
【０００７】
この場合、前記スライド板部材を、前記電子機器における前記撮影用レンズの前方に取り付けることもできる。
【０００８】
また、前記スライド板部材を、前記電子機器製造時に内蔵させることもできる。
【考案の効果】
【０００９】
この考案に係る電子機器に搭載された通信カメラ用覗き見防止装置は上記のように構成されているため、即ち、電子機器に搭載された通信カメラにおいて、前記電子機器にスライド板部材をスライド可能に設置し、このスライド板部材をスライドさせることにより前記通信カメラの撮影用レンズを覆ったりこの覆いを解除したりすることができるようにしたため、電子機器に設置したスライド板部材を操作することによって通信カメラの撮影用レンズをカバーしたり、そのカバーを外したりすることができる。
【００１０】
よって、この電子機器に搭載された通信カメラ用覗き見防止装置を使用すれば、パソコンにカバーを掛けることなく簡単な操作で覗き見や盗撮を防止することができるとともに、再使用する場合にもスライド板部材をスライドすればよいため、パソコンを能率よく使用しやすいものである。
【００１１】
この場合、前記スライド板部材を、前記電子機器における前記撮影用レンズの前方に取り付けるようにすれば、使用者は自己の使用しているパソコンに、別途に入手したスライド板部材を取り付けて覗き見や盗撮を防止することができる。
【００１２】
また、前記スライド板部材を、前記電子機器製造時に内蔵させれば、当該装置全体がコンパクトになるとともに使用者は別途にこの装置を取り付ける必要がないため、使用しやすいものである。
【考案を実施するための最良の形態】
【００１３】
この考案に係る「電子機器」にはパソコン、携帯電話等が該当する。
【００１４】
また、「通信カメラ」には、ウェブカメラ、携帯カメラ等が該当する。
【００１５】
「スライド板部材」は、フィルム状の薄いものが適している。
【００１６】
「スライド板部材」をパソコン等に取り付ける場合には、固定式でも面ファスナー等によって着脱可能にすることもできる。
【００１７】
「スライド板部材が内蔵式」の場合は、パソコン製造時に一体的に組み込むことである。
【００１８】
「覗き見・盗撮」等は、パソコン等に侵入したウィルス等によって、パソコン等の通信カメラが誤作動し、意思に反して使用者の私生活を覗き見したり、盗撮したりすることである。
【実施例】
【００１９】
以下、この考案の実施例を図面に基づいて説明する。
【００２０】
図１はこの考案に係る電子機器に搭載された通信カメラ用覗き見防止装置を使用したパソコンの斜視図、図２は図１におけるII部の拡大図、図３は図２におけるIII-III線拡大断面図、図４は図３に相当する他の実施例の図である。
【００２１】
図１において、１０はノートパソコン（この考案の「電子機器」に相当する）、２０はそのキーボード部、３０はディスプレイ部である。このキーボード部２０とディスプレイ部３０は折り畳み可能に連結されている。３１は前記ディスプレイ部３０の液晶ディスプレイ、３２は同本体枠部である。３３はウェブカメラであり、前記本体枠部（ディスプレイ部３０の）３２に内蔵され、その撮影用レンズ３４は上部略中央に露出している（図３参照のこと）。
【００２２】
Ａは通信カメラ用覗き見防止装置であり、前記本体枠部（ディスプレイ部３０の）３２に面ファスナーによって着脱可能に接着され、前記撮影用レンズ３４を覆っている。
【００２３】
次に、図２及び図３に基づき、前記通信カメラ用覗き見防止装置Ａについて詳述する。
【００２４】
図において、５１は鞘状ケーシングであり、樹脂フィルム等によって一体形成されている。この鞘状ケーシング５１は前壁５２と後壁５３を有し、略薄板長尺状をしている。５５，５５は撮影窓であり、前記前壁５２と後壁５３に形成されている。これらの撮影窓５５，５５は前記撮影用レンズ３４の全体を覗けるように位置している。また、５６は操作窓であり、前記前壁５２に長手方向に沿って形成されている。この操作窓５６の機能は後記する。
【００２５】
６０はフィルム状のスライド板（スライド板部材）であり、前記撮影用レンズ３４内にスライド可能に嵌めこまれている。このスライド板６０は前記前壁５２と後壁５３とに挟まれた状態でスライドし、前記撮影窓５５，５５を開閉することにより、前記撮影用レンズ３４をカバーしたり、そのカバーを外したりする。６１は操作片であり、前記スライド板６０に一体形成されている。この操作片６１は前記操作窓５６内に位置し、使用者はこの操作片６１を指で操作することによって前記スライド板６０を左右にスライドさせる。
【００２６】
前記前壁５１の外壁面及び前記スライド板６０の表面を鏡面にすれば、前記スライド板によって前記撮影窓５５を閉止したとき、前記通信カメラ用覗き見防止装置Ａの表面を鏡として違和感なく使用することができるが、前記スライド板によって前記撮影窓５５を開放したときは、前記撮影窓５５の部分は鏡として機能しないため、違和感が生じ、撮影窓５５の開閉状態を容易に判断することができる。
【００２７】
図４は他の実施例であり、前記鞘状ケーシング５１に相当する部分を前記本体枠部（ディスプレイ部３０の）３２に一体形成したものである。このように一体形成すれば、スライド板６０を、パソコン製造時に組み込むことができ、当該装置全体がコンパクトになる。
【産業上の利用可能性】
【００２８】
この考案に係る電子機器に搭載された通信カメラ用覗き見防止装置は、パソコンにカバーを掛けることなく簡単な操作で覗き見や盗撮を防止することができるとともに、再使用する場合にもスライド板部材をスライドすればよいため、パソコンを能率よく使用しやすい。産業上の利用可能性は高いものである。
【図面の簡単な説明】
【００２９】
【図１】図１はこの考案に係る電子機器に搭載された通信カメラ用覗き見防止装置を使用したパソコンの斜視図である。
【図２】図２は図１におけるII部の拡大図である。
【図３】図３は図２におけるIII-III線拡大断面図である。
【図４】図４は図３に相当する他の実施例の図である。
【符号の説明】
【００３０】
Ａ  …  通信カメラ用覗き見防止装置
１０  …  ノートパソコン（電子機器）
２０  …  キーボード部
３０  …  ディスプレイ部
３１  …  液晶ディスプレイ
３２  …  本体枠部
３３  …  ウェブカメラ
３４  …  撮影用レンズ
５１  …  鞘状ケーシング
５２  …  前壁
５３  …  後壁
５５  …  撮影窓
５６  …  操作窓
６０  …  スライド板（スライド板部材）
６１  …  操作片で
【図１】
0003170619.tif 000003
【図２】
0003170619.tif 000004
【図３】
0003170619.tif 000005
【図４】
0003170619.tif 000006